(57)【特許請求の範囲】
【請求項１】
映像信号を復号化して再生する映像復号再生装置であって、
前記映像信号の復号化に必要な画像形式情報を抽出して解析する情報抽出解析部と、
前記画像形式情報を基に映像信号を復号化する復号化部と、
前記復号化部の復号画像が正しく復号化されたか否かを判定する復号状態判定部と、
前記復号化部が復号した復号画像を格納する復号画像メモリと、
前記復号画像に対して少なくともミュート処理を含む所定の処理が可能で、所定の処理を行った映像信号を出力する表示処理部と、
前記表示処理部の出力映像信号のミュート制御を判定するミュート判定部と、を有し、
前記ミュート判定部は、前記情報抽出解析部の画像形式情報解析結果と前記復号状態判定部の判定結果に基づいて前記復号化部の復号画像が乱れていると判定すると、前記画像形式情報に、前記復号画像メモリの中の前記乱れている復号画像の格納場所とミュートオン情報を付加した画像表示情報を作成して前記表示処理部に送信する
映像復号再生装置。
【請求項２】
前記表示処理部は、前記画像表示情報の中にミュートオン情報が付加されている場合、前記画像表示情報の中の格納場所にある復号画像を表示処理した出力すべき前記映像信号に対してミュート処理を行う
請求項１記載の映像復号再生装置。
【請求項３】
前記表示処理部は、前記画像表示情報の中にミュートオフ情報が付加されている場合、前記画像表示情報の中の格納場所にある復号画像を表示処理した出力すべき前記映像信号に対して表示処理を行う
請求項１記載の映像復号再生装置。
【請求項４】
前記表示処理部は、前記画像表示情報の中にミュートオフ情報が付加されている場合、前記画像表示情報の中の格納場所にある復号画像を表示処理した出力すべき前記映像信号に対して表示処理を行う
請求項２記載の映像復号再生装置。
【請求項５】
映像信号を復号化して再生する映像復号再生装置であって、
前記映像信号の復号化に必要な画像形式情報を抽出して解析する情報抽出解析部と、
前記画像形式情報を基に映像信号を復号化する復号化部と、
前記復号化部の復号画像が正しく復号化されたか否かを判定する復号状態判定部と、
前記復号化部が復号した復号画像を格納する復号画像メモリと、
前記復号画像に対して少なくともミュート処理を含む所定の処理が可能で、所定の処理を行った映像信号を出力する表示処理部と、
前記表示処理部の出力映像信号のミュート制御を判定するミュート判定部と、を有し、
前記ミュート判定部は、前記情報抽出解析部の画像形式情報解析結果と前記復号状態判定部の判定結果に基づいて、１つ前に復号した画像と乱れ状態が変わったと判定すると、前記復号画像の格納場所とミュート切り替え情報を付加した画像表示情報を作成して前記表示処理部に送信する
映像復号再生装置。
【請求項６】
前記表示処理部は、前記ミュート判定部からミュート切り替え情報を含む前記画像表示情報を受信した場合、前記画像表示情報の中の格納場所にある復号画像を表示処理した前記出力映像信号に対してミュート制御の有無をトグルさせる
請求項５記載の映像復号再生装置。
【請求項７】
映像信号を復号化して再生する映像復号再生装置であって、
前記映像信号の復号化に必要な画像形式情報を抽出して解析する情報抽出解析部と、
前記画像形式情報を基に映像信号を復号化する復号化部と、
前記復号化部の復号画像が正しく復号化されたか否かを判定する復号状態判定部と、
前記復号化部が復号した復号画像を格納する復号画像メモリと、
前記復号画像に対して少なくともフリーズ処理を含む所定の処理が可能で、所定の処理を行った映像信号を出力する表示処理部と、
前記出力映像信号のフリーズ制御を判定するフリーズ判定部と、を有し、
前記フリーズ判定部は、前記情報抽出解析部の画像形式情報解析結果と前記復号状態判定部の判定結果に基づいて前記復号化部の復号画像が乱れていると判定すると、前記画像形式情報に、前記復号画像メモリの中の前記乱れている復号画像の格納場所とフリーズオン情報を付加した画像表示情報を作成して前記表示処理部に送信する
映像復号再生装置。
【請求項８】
前記表示処理部は、前記画像表示情報の中にフリーズオン情報が入っている場合、１つ前に出力した出力映像信号を現在の出力映像信号として出力する
請求項７記載の映像復号再生装置。
【請求項９】
前記表示処理部は、前記画像表示情報の中にフリーズオフ情報が入っている場合、前記画像表示情報の中の格納場所にある復号画像を表示処理した前記出力映像信号に対して表示処理を行う
請求項７記載の映像復号再生装置。
【請求項１０】
前記表示処理部は、前記画像表示情報の中にフリーズオフ情報が入っている場合、前記画像表示情報の中の格納場所にある復号画像を表示処理した前記出力映像信号に対して表示処理を行う
請求項８記載の映像復号再生装置。
【請求項１１】
映像信号を復号化して再生する映像復号再生装置であって、
前記映像信号の復号化に必要な画像形式情報を抽出して解析する情報抽出解析部と、
前記画像形式情報を基に映像信号を復号化する復号化部と、
前記復号化部の復号画像が正しく復号化されたか否かを判定する復号状態判定部と、
前記復号化部が復号した復号画像を格納する復号画像メモリと、
前記復号画像に対して、少なくとも正しく復号画像を表示できない期間に映像出力を規制する出力規制処理を含む所定の処理が可能で、所定の処理を行った映像信号を出力する表示処理部と、
前記表示処理部の出力映像信号の出力規制制御を判定する出力規制判定部と、を有し、
前記出力規制判定部は、前記情報抽出解析部の画像形式情報解析結果と前記復号状態判定部の判定結果に基づいて前記復号化部の復号画像が乱れていると判定すると、前記画像形式情報に、前記復号画像メモリの中の前記乱れている復号画像の格納場所と出力規制オン情報を付加した画像表示情報を作成して前記表示処理部に送信する
映像復号再生装置。
【請求項１２】
前記表示処理部は、前記画像表示情報の中に出力規制オン情報が付加されている場合、前記画像表示情報の中の格納場所にある復号画像を表示処理した出力すべき前記映像信号に対して出力規制処理を行う
請求項１１記載の映像復号再生装置。
【請求項１３】
前記表示処理部は、前記画像表示情報の中に出力規制オフ情報が付加されている場合、前記画像表示情報の中の格納場所にある復号画像を表示処理した出力すべき前記映像信号に対して表示処理を行う
請求項１１記載の映像復号再生装置。
【請求項１４】
前記表示処理部は、前記画像表示情報の中に出力規制オフ情報が付加されている場合、前記画像表示情報の中の格納場所にある復号画像を表示処理した出力すべき前記映像信号に対して表示処理を行う
請求項１２記載の映像復号再生装置。
【請求項１５】
映像信号を復号化して再生する映像復号再生方法であって、
前記映像信号の復号化に必要な画像形式情報を抽出して解析する第１ステップと、
前記画像形式情報を基に映像信号を復号化する第２ステップと、
前記第２ステップの復号画像が正しく復号化されたか否かを判定する第３ステップと、
前記復号化部が復号した復号画像を復号画像メモリに格納する第４ステップと、
前記出力映像信号の出力規制制御を判定する第５ステップと、
前記復号画像に対して、少なくとも正しく復号画像を表示できない期間に映像出力を規制する出力規制処理を含む所定の処理が可能で、所定の処理を行った映像信号を出力する第６ステップと、
前記第５ステップにおいては、前記第１ステップの画像形式情報解析結果と前記第３ステップの判定結果に基づいて前記第２ステップの復号画像が乱れていると判定すると、前記画像形式情報に、前記復号画像メモリの中の前記乱れている復号画像の格納場所と出力規制オン情報を付加した画像表示情報を作成して前記第６ステップの処理に供給する
映像復号再生方法。
【発明の詳細な説明】
【技術分野】
【０００１】
本発明は、たとえばデジタル放送などの圧縮された画像データを復号して再生する映像復号再生装置およびその方法に関するものである。
【背景技術】
【０００２】
デジタル放送などを視聴する際には、圧縮された画像データを復号する処理が発生するために、たとえばチャンネル切り替えを行うと、切り替え前にストリームの復号化を停止して、切り替え後に復号化を開始する処理が必ず入る。
ここで、復号化処理を開始するには、Ｉピクチャや、時間情報の入力、画像形式情報の入力を待つ必要があり、表示処理を開始するためには、復号化した画像を表示順に並べ替え、表示時刻になるまで待つ必要があり、この間正しく復号化した画像を表示できない。
【０００３】
通常、正しく復号化した画像を表示できない間は、画像を表示させないためのミュート処理を行う。
しかしここで、一般的に復号化部や表示部に対する上位コントローラが復号画像の乱れを検知し、この乱れに応じて表示部へミュート制御を行うため、画像の乱れ期間と比較して冗長な期間のミュートが発生してしまう。
以上のような背景により、デジタル放送のチャンネル切り替え時には長時間のミュートが発生し、これがユーザの不満点として挙げられている。
【０００４】
そこで、乱れた画像に対するミュート期間の精度を上げるため、これまでにたとえば特許文献１に記載された方法が提案されている。
この方法では、１つのチャンネルで映像の解像度が異なる映像信号の番組が連なって放送されるようなデジタル放送信号を受信再生する場合に、その映像信号の解像度の切り替わり時点を検出して出力する映像信号にミュート処理を施し、解像度が切り替わった後の映像信号の復号が完了した時点でミュート処理を解除して映像信号を出力する。
【特許文献１】特開平１１−１４６２９１号公報
【発明の開示】
【発明が解決しようとする課題】
【０００５】
しかし、特許文献１に開示された技術では、復号された画像とは非同期にミュート信号の伝達を行っているため、表示部において乱れた画の表示処理とミュートタイミングの同期が取れていない。
さらに、復号ストリームの解像度変化をミュートのトリガとしているため、低Ｃ／Ｎ等を起因とした解像度切替時以外の復号画像の乱れをミュートする処理には対応できない。
【０００６】
本発明の目的は、復号画像に対する付加情報としてミュート情報等の出力規制情報を付加することができ、出力映像信号でのミュートオン・オフ等の出力規制制御の精度を高めることが可能な映像復号再生装置およびその方法を提供することにある。
【課題を解決するための手段】
【０００７】
本発明の第１の観点は、映像信号を復号化して再生する映像復号再生装置であって、前記映像信号の復号化に必要な画像形式情報を抽出して解析する情報抽出解析部と、前記画像形式情報を基に映像信号を復号化する復号化部と、前記復号化部の復号画像が正しく復号化されたか否かを判定する復号状態判定部と、前記復号化部が復号した復号画像を格納する復号画像メモリと、前記復号画像に対して少なくともミュート処理を含む所定の処理が可能で、所定の処理を行った映像信号を出力する表示処理部と、前記表示処理部の出力映像信号のミュート制御を判定するミュート判定部と、を有し、前記ミュート判定部は、前記情報抽出解析部の画像形式情報解析結果と前記復号状態判定部の判定結果に基づいて前記復号化部の復号画像が乱れていると判定すると、前記画像形式情報に、前記復号画像メモリの中の前記乱れている復号画像の格納場所とミュートオン情報を付加した画像表示情報を作成して前記表示処理部に送信する。
【０００８】
好適には、前記表示処理部は、前記画像表示情報の中にミュートオン情報が付加されている場合、前記画像表示情報の中の格納場所にある復号画像を表示処理した出力すべき前記映像信号に対してミュート処理を行う。
また好適には、前記表示処理部は、前記画像表示情報の中にミュートオフ情報が付加されている場合、前記画像表示情報の中の格納場所にある復号画像を表示処理した出力すべき前記映像信号に対して表示処理を行う。
【０００９】
本発明の第２の観点は、映像信号を復号化して再生する映像復号再生装置であって、前記映像信号の復号化に必要な画像形式情報を抽出して解析する情報抽出解析部と、前記画像形式情報を基に映像信号を復号化する復号化部と、前記復号化部の復号画像が正しく復号化されたか否かを判定する復号状態判定部と、前記復号化部が復号した復号画像を格納する復号画像メモリと、前記復号画像に対して少なくともミュート処理を含む所定の処理が可能で、所定の処理を行った映像信号を出力する表示処理部と、前記表示処理部の出力映像信号のミュート制御を判定するミュート判定部と、を有し、前記ミュート判定部は、前記情報抽出解析部の画像形式情報解析結果と前記復号状態判定部の判定結果に基づいて、１つ前に復号した画像と乱れ状態が変わったと判定すると、前記復号画像の格納場所とミュート切り替え情報を付加した画像表示情報を作成して前記表示処理部に送信する。
【００１０】
好適には、前記表示処理部は、前記ミュート判定部からミュート切り替え情報を含む前記画像表示情報を受信した場合、前記画像表示情報の中の格納場所にある復号画像を表示処理した前記出力映像信号に対してミュート制御の有無をトグルさせる。
【００１１】
本発明の第３の観点は、映像信号を復号化して再生する映像復号再生装置であって、前記映像信号の復号化に必要な画像形式情報を抽出して解析する情報抽出解析部と、前記画像形式情報を基に映像信号を復号化する復号化部と、前記復号化部の復号画像が正しく復号化されたか否かを判定する復号状態判定部と、前記復号化部が復号した復号画像を格納する復号画像メモリと、前記復号画像に対して少なくともフリーズ処理を含む所定の処理が可能で、所定の処理を行った映像信号を出力する表示処理部と、前記出力映像信号のフリーズ制御を判定するフリーズ判定部と、を有し、前記フリーズ判定部は、前記情報抽出解析部の画像形式情報解析結果と前記復号状態判定部の判定結果に基づいて前記復号化部の復号画像が乱れていると判定すると、前記画像形式情報に、前記復号画像メモリの中の前記乱れている復号画像の格納場所とフリーズオン情報を付加した画像表示情報を作成して前記表示処理部に送信する。
【００１２】
好適には、前記表示処理部は、前記画像表示情報の中にフリーズオン情報が入っている場合、１つ前に出力した出力映像信号を現在の出力映像信号として出力する。
また好適には、前記表示処理部は、前記画像表示情報の中にフリーズオフ情報が入っている場合、前記画像表示情報の中の格納場所にある復号画像を表示処理した前記出力映像信号に対して表示処理を行う。
【００１３】
本発明の第４の観点は、映像信号を復号化して再生する映像復号再生装置であって、前記映像信号の復号化に必要な画像形式情報を抽出して解析する情報抽出解析部と、前記画像形式情報を基に映像信号を復号化する復号化部と、前記復号化部の復号画像が正しく復号化されたか否かを判定する復号状態判定部と、前記復号化部が復号した復号画像を格納する復号画像メモリと、前記復号画像に対して、少なくとも正しく復号画像を表示できない期間に映像出力を規制する出力規制処理を含む所定の処理が可能で、所定の処理を行った映像信号を出力する表示処理部と、前記表示処理部の出力映像信号の出力規制制御を判定する出力規制判定部と、を有し、前記出力規制判定部は、前記情報抽出解析部の画像形式情報解析結果と前記復号状態判定部の判定結果に基づいて前記復号化部の復号画像が乱れていると判定すると、前記画像形式情報に、前記復号画像メモリの中の前記乱れている復号画像の格納場所と出力規制オン情報を付加した画像表示情報を作成して前記表示処理部に送信する。
【００１４】
本発明の第５の観点は、映像信号を復号化して再生する映像復号再生方法であって、前記映像信号の復号化に必要な画像形式情報を抽出して解析する第１ステップと、前記画像形式情報を基に映像信号を復号化する第２ステップと、前記第２ステップの復号画像が正しく復号化されたか否かを判定する第３ステップと、前記復号化部が復号した復号画像を復号画像メモリに格納する第４ステップと、前記出力映像信号の出力規制制御を判定する第５ステップと、前記復号画像に対して、少なくとも正しく復号画像を表示できない期間に映像出力を規制する出力規制処理を含む所定の処理が可能で、所定の処理を行った映像信号を出力する第６ステップと、前記第５ステップにおいては、前記第１ステップの画像形式情報解析結果と前記第３ステップの判定結果に基づいて前記第２ステップの復号画像が乱れていると判定すると、前記画像形式情報に、前記復号画像メモリの中の前記乱れている復号画像の格納場所と出力規制オン情報を付加した画像表示情報を作成して前記第６ステップの処理に供給する。
【発明の効果】
【００１５】
本発明によれば、ストリームの開始・停止間等に発生する正常に復号できない画像を隠すためのミュート処理において、復号画像に対する付加情報としてミュート情報やフリーズ情報等の出力規制情報を付加することができ、出力映像信号でのミュートオン・オフやフリーズオン・オフの制御の精度を高めることができる。
【発明を実施するための最良の形態】
【００１６】
以下、本発明の実施形態を図面に関連付けて説明する。
本実施形態においては、デジタル放送などの圧縮された画像データを復号して再生する圧縮映像復号再生装置として説明する。
【００１７】
図１は、本発明の第１の実施形態に係る圧縮映像復号再生装置の構成例を示すブロック図である。
【００１８】
本圧縮映像復号再生装置１０は、図１に示すように、情報抽出解析部１１、復号化部１２、復号状態判定部１３、復号画像メモリ１４、出力映像信号の出力規制処理部としてのミュート処理部１５、および表示処理部１６を有する。
なお、本実施形態においては、復号状態判定部１３は復号化部１２に内蔵して含まれるような構成として例示しているが、それぞれ別のブロックとして構成することも可能である。
【００１９】
情報抽出解析部１１は、入力される圧縮した映像信号ＳＩＭから画素数や表示時間等の復号化処理に必要な画像形成情報を抽出し解析する。
そして、情報抽出解析部１１は、抽出した画像形式情報を信号Ｓ１１１として復号化部１２に送信し、画像形式情報解析結果を信号Ｓ１１２としてミュート判定部１５に送信する。
【００２０】
復号化部１２は、入力映像信号ＳＩＭと情報抽出解析部１１にて抽出され信号Ｓ１１として供給された画像形式情報を基に、復号画像を作成し、復号画像を復号画像メモリ１４に格納する。
さらに、本実施形態の復号化部１２は、上述したように、復号画像の乱れの有無を判定する復号状態判定部１３を内蔵している。
復号状態判定部１３は、復号化部１２の復号画像が正しく復号化されたか否かを判定する。
そして復号化部１２は、画像形式情報と復号画像を格納した復号画像メモリ１４の格納場所、および復号状態判定部１３で判定した復号結果をミュート判定部１５に送信する。
すなわち、復号化部１２がミュート判定部１５に送信する情報には、画像形式情報、復号画像格納場所情報、復号判定結果情報を含み、復号化部１２は、これら情報を信号Ｓ１２１としてミュート部１５に送信する。
【００２１】
ミュート判定部１５は、情報抽出解析部１１により信号Ｓ１１２として受信した画像形式情報解析結果と、復号化部１２により信号Ｓ１２１として受信した画像形式情報、復号画像格納場所、復号判定結果とに基づき、画像形式情報と復号画像格納場所、および出力規制情報としてのミュート情報を合わせた画像表示情報Ｓ１５１を生成して表示処理部１６に送信する。
正しく復号画像を表示できない期間に映像出力を規制する出力規制情報としてのミュート情報とは、情報抽出解析部１１から受けた画像形式情報解析結果と復号化部１２から受けた復号結果を基に、ミュート判定部１５が作成する情報で、表示処理部１６にてミュート処理の判断に用いられる。
ミュート判定部１５は、復号画像に乱れがあると判定した場合、ミュート情報をオンとし、一方、復号画像の乱れがないと判定した場合、ミュート情報をオフとする。
なお、復号画像が乱れていると判断する条件は、画像形式情報解析結果と復号結果に起因し、具体的な内容は後述する図２の説明にて示す。
【００２２】
表示処理部１６は、画像表示情報の復号画像格納場所が示す復号画像を復号画像メモリ１４から取得し、復号画像のスケーリングやフィルタ処理など、復号画像の形成を行い、出力映像信号として、たとえば図示しない表示装置に出力する。
ここで表示処理部１６は、ミュート判定部１５から受信する画像表示情報に応じて、ミュート処理を行う。ミュート情報がオンである場合、表示処理部１６は形成した画像をミュートしたものを出力映像信号として出力する。
一方で、画像表示情報においてミュート情報がオフである場合、表示処理部１６は形成した画像をそのまま出力映像信号として出力する。
【００２３】
図２は、本実施形態に係る復号状態判定部において復号画像が乱れていると判断する条件を示す図である。
【００２４】
条件１は、圧縮映像復号再生装置１０の電源が投入され、復号化部１２が表示処理部１６に復号画像を渡すことができる状態が整うまでを示した条件である。
【００２５】
条件２は、チャンネル切り替え等のシーンにて、図示しない上位コントローラからの復号化停止命令の発生以降、上位コントローラからの再生制御命令に対して復号化部１２が表示処理部１６に復号画像を渡すことができる状態が整うまでを示した条件である。
【００２６】
条件１、２で述べた表示処理部１６に復号画像を渡すことができる状態とは、時間情報の入力、画像形式情報の入力を待ち、表示処理を開始するために復号化した画像を表示順に並べ替え、表示時刻になるまでの状態を指す。
【００２７】
条件３は、入力となる映像信号が途切れて、入力映像信号が途絶えた状態を検出している間の条件である。
【００２８】
条件４は、入力となる映像信号がノイズ等で情報が不連続となり、入力映像信号にデータの連続性が失われている間の条件である。
【００２９】
条件５は、復号化部１２で特にエラーが発生しない状態でも、画像形成情報によって、前後の参照画像が無いなどして正しい復号画像を保障できないことが判明したときの条件である。
条件１〜５に当てはまった場合、復号状態判定部１３は復号画像の乱れがあると判定し、ミュート判定部１５が画像表示情報のミュート情報をオンとする。
【００３０】
次に、本実施形態に係る圧縮映像復号再生装置の動作を説明する。
【００３１】
圧縮されたデジタル映像信号ＳＩＭが情報抽出解析部１１および復号化部１２に入力される。
情報抽出解析部１１においては、圧縮されたデジタル映像信号ＳＩＭから、圧縮方式や画素数等の復号化に必要な画像形式情報が抽出され、抽出した画像形式情報が信号Ｓ１１１として復号化部１２に送信され、画像形式情報解析結果が信号Ｓ１１２としてミュート判定部１５に送信される。
【００３２】
復号化部１２においては、入力映像信号ＳＩＭと情報抽出解析部１１にて抽出され信号Ｓ１１として供給された画像形式情報を基に、復号画像が作成され、復号画像が復号画像メモリ１４に格納される。
さらに、復号化部１２において、内蔵する復号状態判定部１３において、復号化部１２の復号画像が正しく復号化されたか否かが判定される。そして、復号化部１２から、画像形式情報と復号画像を格納した復号画像メモリ１４の格納場所、および復号状態判定部１３で判定した復号結果が信号Ｓ１２１としてミュート判定部１５に送信される。
【００３３】
ミュート判定部１５においては、情報抽出解析部１１により信号Ｓ１１２として受信した画像形式情報解析結果と、復号化部１２により信号Ｓ１２１として受信した画像形式情報、復号画像格納場所、復号判定結果とに基づき、画像形式情報と復号画像格納場所、およびミュート情報を合わせた画像表示情報Ｓ１５１が生成されて表示処理部１６に送信される。
具体的には、ミュート判定部１５において、復号画像に乱れがあると判定した場合、ミュート情報をオンとし、一方、復号画像の乱れがないと判定した場合、ミュート情報をオフとして、表示処理部１６に送信される。
【００３４】
表示処理部１６においては、ミュート判定部１５による画像表示情報Ｓ１５１の復号画像格納場所が示す復号画像が復号画像メモリ１４から取得され、復号画像のスケーリングやフィルタ処理など、復号画像が形成される。
このとき、表示処理部１６では、画像表示情報Ｓ１５１の中にミュートオン情報が入っている場合、画像表示情報Ｓ１５１の中の格納場所にある復号画像を表示処理した出力映像信号に対してミュート処理が行われる。
一方、表示処理部１６では、画像表示情報Ｓ１５１の中にミュートオフ情報が入っている場合、画像表示情報Ｓ１５１の中の格納場所にある復号画像を表示処理した出力映像信号に対して表示処理が行われる。
【００３５】
以上説明したように、本第１の実施形態によれば、映像信号の復号化に必要な画像形式情報を抽出して解析する情報抽出解析部１１と、画像形式情報を基に映像信号を復号化する復号化部１２と、復号化部の復号画像が正しく復号化されたか否かを判定する復号状態判定部１３と、復号化部１２が復号した復号画像を格納する復号画像メモリ１４と、復号画像に対して少なくともミュート処理を含む所定の処理が可能で、所定の処理を行った映像信号を出力する表示処理部１６と、表示処理部１６の出力映像信号のミュート制御を判定するミュート判定部１５と、を有し、ミュート判定部１５は、情報抽出解析部１１の画像形式情報解析結果と復号状態判定部１３の判定結果に基づいて復号化部１２の復号画像が乱れていると判定すると、画像形式情報に、復号画像メモリ１４の中の前記乱れている復号画像の格納場所とミュートオン情報を付加した画像表示情報を作成して表示処理部１６に送信することから、図３に示すように、ストリームの開始・停止間等に発生する正常に復号できない画像を隠すためのミュート処理において、復号画像に対する付加情報としてミュート情報を付加することができ、出力映像信号でのミュートオン・オフの制御の精度を高めることができる利点がある。
【００３６】
図４は、本発明の第２の実施形態に係る圧縮映像復号再生装置の構成例を示すブロック図である。
【００３７】
本第２の実施形態の圧縮映像復号再生装置１０Ａが第１の実施形態の圧縮映像信号再生装置１０と異なる点は、第１の実施形態におけるミュート情報は、ミュートのオン・オフ状態を示す情報として取り扱ったが、第２の実施形態では、復号状態判定部１３Ａはミュートのオン・オフの切り替え時点にのみ値を変え、ミュート状態の切り替えフラグ情報として扱うことで、表示処理部がミュート状態をトグルさせるようにしたことにある。
【００３８】
本第２の実施形態のミュート判定部１５Ａは、情報抽出解析部１１の画像形式情報解析結果と復号状態判定部１３Ａの判定結果に基づいて１つ前に復号した画像と乱れ状態が変わったか否かを判定する。
そして、乱れ状態が変わったと判定すると、ミュート判定部１５Ａは、復号画像の格納場所とミュート切り替え情報を付加した画像表示情報Ｓ１５１Ａを作成して表示処理部１６Ａに送信する。
そして、表示処理部１６Ａは、ミュート判定部１５Ａからミュート切り替え情報を含む画像表示情報Ｓ１５１Ａを受信した場合、画像表示情報の中の格納場所にある復号画像を表示処理した出力映像信号に対してミュート制御の有無をトグルさせる。
【００３９】
第２の実施形態によれば、上述した第１の実施形態の効果と同様の効果を得ることができる。
【００４０】
図５は、本発明の第３の実施形態に係る圧縮映像復号再生装置の構成例を示すブロック図である。
【００４１】
本第３の実施形態の圧縮映像復号再生装置１０Ｂが第１の実施形態の圧縮映像信号再生装置１０と異なる点は、ミュート情報の代わりに、復号画像を更新させず同一画像を表示させる出力規制情報としてのフリーズ情報を用いることで、フリーズオン状態の間は画像が乱れているとして、表示処理部は正常に復号された最後の画像を静止画として表示させるようにしたことにある。
【００４２】
したがって、本第３の実施形態においては、ミュート判定部の代わりに、出力映像信号のフリーズ制御を判定するフリーズ判定部１７を備えている。
【００４３】
フリーズ判定部１７は、情報抽出解析部１１の画像形式情報解析結果と復号状態判定部１３の判定結果に基づいて復号化部１２の復号画像が乱れていると判定すると、画像形式情報に、復号画像メモリ１４の中の前記乱れている復号画像の格納場所とフリーズオン情報を付加した画像表示情報Ｓ１７１を作成して表示処理部１６Ｂに送信する。
表示処理部１６Ｂは、画像表示情報Ｓ１７１の中にフリーズオン情報が入っている場合、１つ前に出力した出力映像信号を現在の出力映像信号として出力する。
一方、表示処理部１６Ｂは、画像表示情報Ｓ１７１の中にフリーズオフ情報が入っている場合、画像表示情報Ｓ１７１の中の格納場所にある復号画像を表示処理した出力映像信号に対して表示処理を行う。
【００４４】
本第３の実施形態によればストリームの開始・停止間等に発生する正常に復号できない画像を隠すためのフリーズ処理において、復号画像に対する付加情報としてフリーズ情報を付加することができ、出力映像信号でのフリーズオン・オフの制御の精度を高めることができる。
【図面の簡単な説明】
【００４５】
【図１】本発明の第１の実施形態に係る圧縮映像復号再生装置の構成例を示すブロック図である。
【図２】本実施形態に係る復号状態判定部において復号画像が乱れていると判断する条件を示す図である。
【図３】第１の実施形態の効果を説明するための図である。
【図４】本発明の第２の実施形態に係る圧縮映像復号再生装置の構成例を示すブロック図である。
【図５】本発明の第３の実施形態に係る圧縮映像復号再生装置の構成例を示すブロック図である。
【符号の説明】
【００４６】
１０，１０Ａ，１０Ｂ・・・圧縮映像復号再生装置、１１・・・情報抽出解析部、１２・・・復号化部、１３，１３Ａ・・・復号状態判定部、１４・・・復号画像メモリ、１５，１５Ａ・・・ミュート処理部（出力規制処理部）、１６，１６Ａ，１６Ｂ・・・表示処理部、１７・・・フリーズ判定部（出力規制処理部）。
【図１】
0004779557.tif 000002
【図２】
0004779557.tif 000003
【図３】
0004779557.tif 000004
【図４】
0004779557.tif 000005
【図５】
0004779557.tif 000006